(57)【要約】【課題】規格寸法をもつ定型のコピー用紙を用いるという既成概念を排除して、使用者にとっては複写書類に広告が付属する不都合を排除できると共に、コピー料金が低減乃至不要となり、広告主にとっては充分なスペースで有効な広告を行えるコピー用紙とそれを用いた広告方法の提供を課題とする。【解決手段】本発明のコピー用紙は、定型コピー用紙の一辺に拡張用紙領域１２を付加してなる拡張型のコピー用紙１０を用い、該拡張型のコピー用紙１０のうち定型コピー用紙領域１１を空白にすると共に拡張用紙領域１２に広告２０を表示してある。また本発明のコピー用紙１０を用いた広告方法は、拡張型のコピー用紙１０を用いて予め複写機にセットし、使用者が複写操作を行うことで、定型コピー用紙領域１１に所望の複写がなされると共に拡張用紙領域１２には広告２０が表示された複写済み紙が使用者に提供される。【選択図】      図１
2009145511.tif 000002
【特許請求の範囲】
【請求項１】
予め定められた規格寸法をもつ定型コピー用紙の一辺に拡張用紙領域を付加してなる拡張型のコピー用紙を用い、該拡張型のコピー用紙のうち定型コピー用紙領域を空白にすると共に拡張用紙領域に広告を表示してあることを特徴とするコピー用紙。
【請求項２】
拡張用紙領域と定型コピー用紙領域との境界に切取線若しくはミシン目を施してあることを特徴とする請求項１に記載のコピー用紙。
【請求項３】
拡張用紙領域に広告主を読み取るための広告主読取部を設けてあることを特徴とする請求項１又は２に記載のコピー用紙。
【請求項４】
拡張用紙領域にクーポン券、その他の券を切り取り可能に表示してあることを特徴とする請求項１〜３の何れかに記載のコピー用紙。
【請求項５】
拡張用紙領域にＱＲコードを表示してあることを特徴とする請求項１〜４の何れかに記載のコピー用紙。
【請求項６】
請求項１〜５の何れかに記載のコピー用紙を用い、これを予め複写機にセットし、複写機使用者が複写操作を行うことで、コピー用紙の定型コピー用紙領域に複写機使用者の所望の複写がなされると共に拡張用紙領域には広告が表示された複写済み紙が使用者に提供されるようにしたことを特徴とするコピー用紙を用いた広告方法。
【請求項７】
請求項６に記載のコピー用紙を用いた広告方法において、広告が表示されたコピー用紙により複写された枚数を各複写機毎に検出し、これを通信ネットワークを用いて管理者のコンピュータに送信するようにし、管理者のコンピュータにおいては、各複写機から集められた複写枚数データから広告が表示されたコピー用紙による総使用枚数をコンピュータ上で合算して、広告主に対する広告料を演算するようにしたことを特徴とするコピー用紙を用いた広告方法。
【請求項８】
請求項７に記載のコピー用紙を用いた広告方法において、広告が表示されたコピー用紙により複写された枚数を各複写機毎に検出する際に、拡張用紙領域に設けた広告主読取部からその広告の広告主を検出することで、広告主毎の複写枚数を各複写機毎に検出し、これを通信ネットワークを用いて管理者のコンピュータに送信するようにしたことを特徴とするコピー用紙を用いた広告方法。
【請求項９】
請求項６〜８の何れかに記載のコピー用紙を用いた広告方法において、広告を表示してある拡張型のコピー用紙をセットする複写機として、公民館等の公共施設に設置される複写機を対象としたことを特徴とするコピー用紙を用いた広告方法。
【請求項１０】
請求項６〜９の何れかに記載のコピー用紙を用いた広告方法において、複写操作を行う際に、通常の複写を行うか、広告を表示した拡張型のコピー用紙を用いた複写を行うかの選択操作を行わせるようにしたことを特徴とするコピー用紙を用いた広告方法。
【発明の詳細な説明】
【技術分野】
【０００１】
本発明はコピー用紙とそれを用いた広告方法に関する。
【背景技術】
【０００２】
複写機を利用した広告方法については、下記特許文献１、２に示すような方法や装置が開示されている。これらの方法や装置は、何れもコピー料金を安くあげたい使用者と広告宣伝をしたい広告主の意向に沿って、提供されたものである。
特許文献１には、コピー料金割引出力装置が開示されている。この装置によれば、デジタル出力装置により、コピー用紙に通常に複写を行うと共に、複写がなされていない空白部分または裏面に予め契約している広告主の広告を出力するようにした技術が開示されている。コピー用紙に通常の複写を行うと共にその空白部分か裏面に広告を出力して使用者に提供することで、一方で複写料金の低減を図り、他方で広告効果を発揮させるものである。
特許文献２には、コピー機を利用した広告システムが開示されている。このシステムによれば、コピー機を用いてコピー用紙に複写をする際に、原稿データをコピー用紙に転写すると共に、その周辺部や裏面等の余白部に広告データを転写するようにした技術が開示されている。この技術も上記特許文献と同様に、コピー用紙のうち複写を免れた空白部分か裏面を利用して広告を行うことで、複写料金の低減と広告効果を得んとするものである。
【特許文献１】特開２００３−１２２２８５号公報
【特許文献２】特開２００５−１２３９８８号公報
【発明の開示】
【発明が解決しようとする課題】
【０００３】
上記の特許文献１、２に開示する従来技術にあっては、何れも、コピー用紙のうち広告を付すべき部分を、複写を免れた空白部分か周辺の複写余白部分か用紙裏面としている。
しかしながら、前記複写を免れた空白部分は、本来複写用に確保されたスペースではあるが実際には複写を免れた空きスペースであることから、そのような空きスペースが適当な大きさで常に存在するとは限らない。このため、広告用のスペースの確保が安定せず、広告主が望む広告を安定して行うことができない問題がある。勿論、関係のない広告が複写書類の一部分に表示されていると、プライベートな書類とか本の一次的な書類としては許容できるが、何か公的な書類提出等用の複写書類としては非常に不都合な場合が多くなる問題がある。
また前記周辺の複写余白部分は、コピー用紙の周辺枠部としての複写余白部分であることから、広告を付するスペースとしては小さく、限定的であり、広告主が望む広告を充分に行うことができない問題がある。同様に、関係のない広告が複写書類の複写面の一部に表示されていることから、何か提出用の公的な書類等としては不都合で、使用者に喜んで受け入れられない問題がある。
また用紙裏面に広告を付する場合は、複写面に広告が一緒に載ることはないが、裏面であるので広告効果が低減する。更に裏面であっても広告が付された書類は、私用目的以外には不都合な場合が多い問題がある。
以上における従来技術の問題点をより具体的に言えば、例えばコピー用紙としてＡ４のコピー用紙を想定した場合、上記の開示技術では、そのＡ４用紙における複写領域の中の空き部分、Ａ４用紙の周辺の複写余白部、Ａ４用紙の裏面に広告を付することしたものである。即ち、コピー用紙そのものの寸法については規格寸法のものを用いることを前提としたものであり、その規格の寸法をもつ定型用紙での利用できる広告のスペースを考えたものである。このため、どうしても複写スペースに対して充分な広告スペースがとれず、一方、複写された書類に使用者にとって不要な広告が残るという問題を残していた。
【０００４】
そこで本発明は上記従来技術の問題を解消し、規格寸法をもつ定型のコピー用紙を用いるという暗黙の既成概念を排除して、使用者にとっては複写された書類に広告が付属するという不都合を排除することができると共に、コピー料金が低減乃至不要となるメリットを得ることができ、また広告主は充分なスペースでもって有効な広告を行うことができるメリットを得ることができるコピー用紙とそれを用いた広告方法の提供を課題とする。
【課題を解決するための手段】
【０００５】
上記課題を達成するため、本発明のコピー用紙は、予め定められた規格寸法をもつ定型コピー用紙の一辺に拡張用紙領域を付加してなる拡張型のコピー用紙を用い、該拡張型のコピー用紙のうち定型コピー用紙領域を空白にすると共に拡張用紙領域に広告を表示してあることを第１の特徴としている。
また本発明のコピー用紙は、上記第１の特徴に加えて、拡張用紙領域と定型コピー用紙領域との境界に切取線若しくはミシン目を施してあることを第２の特徴としている。
また本発明のコピー用紙は、上記第１又は第２の特徴に加えて、拡張用紙領域に広告主を読み取るための広告主読取部を設けてあることを第３の特徴としている。
また本発明のコピー用紙は、上記第１〜第３の何れかの特徴に加えて、拡張用紙領域にクーポン券、その他の券を切り取り可能に表示してあることを第４の特徴としている。
また本発明のコピー用紙は、上記第１〜第４の何れかの特徴に加えて、拡張用紙領域にＱＲコードを表示してあることを第５の特徴としている。
また本発明のコピー用紙を用いた広告方法は、上記第１〜第５の何れかの特徴に記載のコピー用紙を用い、これを予め複写機にセットし、複写機使用者が複写操作を行うことで、コピー用紙の定型コピー用紙領域に複写機使用者の所望の複写がなされると共に拡張用紙領域には広告が表示された複写済み紙が使用者に提供されるようにしたことを第６の特徴としている。
また本発明のコピー用紙を用いた広告方法は、上記第６の特徴に加えて、広告が表示されたコピー用紙により複写された枚数を各複写機毎に検出し、これを通信ネットワークを用いて管理者のコンピュータに送信するようにし、管理者のコンピュータにおいては、各複写機から集められた複写枚数データから広告が表示されたコピー用紙による総使用枚数をコンピュータ上で合算して、広告主に対する広告料を演算するようにしたことを第７の特徴としている。
また本発明のコピー用紙を用いた広告方法は、上記第７の特徴に加えて、広告が表示されたコピー用紙により複写された枚数を各複写機毎に検出する際に、拡張用紙領域に設けた広告主読取部からその広告の広告主を検出することで、広告主毎の複写枚数を各複写機毎に検出し、これを通信ネットワークを用いて管理者のコンピュータに送信するようにしたことを第８の特徴としている。
また本発明のコピー用紙を用いた広告方法は、上記第６〜第８の何れかに記載の特徴に加えて、広告を表示してある拡張型のコピー用紙をセットする複写機として、公民館等の公共施設に設置される複写機を対象としたことを第９の特徴としている。
また本発明のコピー用紙を用いた広告方法は、上記第６〜第９の何れかに記載の特徴に加えて、複写操作を行う際に、通常の複写を行うか、広告を表示した拡張型のコピー用紙を用いた複写を行うかの選択操作を行わせるようにしたことを第１０の特徴としている。
【発明の効果】
【０００６】
請求項１に記載のコピー用紙によれば、予め定められた規格寸法をもつ定型コピー用紙の一辺に拡張用紙領域を付加してなる拡張型のコピー用紙を用い、定型コピー用紙領域を空白にすると共に拡張用紙領域に広告を表示してあるので、
複写を行おうとする使用者は、所定の定型コピー用紙領域に従来通りの複写を何ら問題なく行うことができる。また不要な広告が複写領域や定型コピー用紙領域或いは裏面に入ってくることのない複写書類を得ることができる。特に広告が表示された拡張用紙領域を切り取ることによって、全く従来通りの規格寸法からなる定型コピー用紙の大きさに複写書類を整えて保持、所有することができる。勿論、低減乃至無料の複写が期待できる。
一方、広告主は、拡張用紙領域に充分なスペースを持って、安定して所望の広告を表示することができる。これにより広告効果が期待できる。また拡張用紙領域に広告が表示されるので、定型コピー用紙領域を何ら侵すことなく、広告部分を切り離すことが可能となる。これにより切り離して使用し或いは利用するのに適した広告も行うことができるメリットがある。
また予め広告を拡張用紙領域に表示した拡張型のコピー用紙を用いるので、複写の際ではなく、それに先立って充分に良好な印刷機等を用いて、カラー等により充分に鮮明な広告を施しておくことができる。よって、より効果的な広告効果を行うことができる。
勿論、複写機による複写動作の際に同時的に広告を拡張用紙領域に印刷乃至複写する機能を必要としないので、既存の複写機をそのまま利用することができ、特別な複写機を開発して用いる必要がない。
【０００７】
また請求項２に記載のコピー用紙によれば、上記請求項１に記載の構成による効果に加えて、拡張用紙領域と定型コピー用紙領域との境界に切取線若しくはミシン目を施してあるので、
複写操作がなされた後等に、定型コピー用紙領域と拡張用紙領域とを前記切取線若しくはミシン目で容易に分離することができる。
【０００８】
また請求項３に記載のコピー用紙によれば、上記請求項１又は２に記載の構成による効果に加えて、拡張用紙領域に広告主を読み取るための広告主読取り部を設けてあるので、
複写に用いられたコピー用紙がどの広告主の広告が表示されたコピー用紙であるかを読み取ることが可能となる。よって複数の広告主による広告がなされたコピー用紙が混ざっているような場合においても、広告主毎の使用枚数を把握することが可能となる。
【０００９】
また請求項４に記載のコピー用紙によれば、上記請求項１〜３の何れかに記載の構成による効果に加えて、拡張用紙領域にクーポン券、その他の券を切り取り可能に表示してあるので、
クーポン券やその他の券を、複写領域に何らの悪影響を与えることなく、切り離して利用することが可能となるので、使用者、広告主のメリットが大きい。
【００１０】
また請求項５に記載のコピー用紙によれば、上記請求項１〜４の何れかに記載の構成による効果に加えて、拡張用紙領域にＱＲコードを表示してあるので、
充分な領域に明確なＱＲコードを表示することが可能となり、携帯電話等による広告主のホームページ等へのアクセス効果をあげることができる。
【００１１】
また請求項６に記載のコピー用紙を用いた広告方法によれば、請求項１〜５の何れかに記載のコピー用紙を用い、これを予め複写機にセットし、複写機使用者が複写操作を行うことで、コピー用紙の定型コピー用紙領域に複写機使用者の所望の複写がなされると共に拡張用紙領域には広告が表示された複写済み紙が使用者に提供されるようにしたので、
広告主にとっては、複写済み紙を取得した使用者が拡張用紙領域に表示された広告を確実に見ることになるので、広告効果をあげることができる。広告は、使用者が行う複写の内容に左右されることなく、拡張用紙領域に充分な大きさで安定して表示されているので、広告効果が高い。また拡張領域に表示された広告は、定型コピー用紙領域に悪影響を何ら与えることなく切り取ることが可能であるので、切り取り保持用の広告として、広告の幅を広げることができる。
また複写使用者は、広告が付いていても、複写代が軽減される或いはただとなることで、メリットがある。また広告がなされた拡張用紙領域を切り取れば、通常の定型コピー用紙に複写したのと何ら変わらないので、複写書類としての利用価値が低下することもない。
更に予め広告を印刷、その他の方法で拡張用紙領域に表示したコピー用紙を用いることで、複写の際に同時的に広告を印字等する必要がないので、従来既存の複写機をそのまま用いた広告が可能となる。
【００１２】
また請求項７に記載のコピー用紙を用いた広告方法によれば、上記請求項６に記載の構成による効果に加えて、広告が表示されたコピー用紙により複写された枚数を各複写機毎に検出し、これを通信ネットワークを用いて管理者のコンピュータに送信するようにし、管理者のコンピュータにおいては、各複写機から集められた複写枚数データから広告が表示されたコピー用紙による総使用枚数をコンピュータ上で合算して、広告主に対する広告料を演算するようにしたので、
複数個所に分散して設置された複写機を用いてコピー用紙を用いた広告を行う場合においても、各複写機での広告に供された複写枚数を、通信ネットワークを介して管理者のコンピュータで容易に管理することが可能となり、広告使用枚数や広告主に対する広告料の演算の管理を一元化することが可能となる。
【００１３】
また請求項８に記載のコピー用紙を用いた広告方法によれば、上記請求項７に記載の構成による効果に加えて、広告が表示されたコピー用紙により複写された枚数を各複写機毎に検出する際に、拡張用紙領域に設けた広告主読取り部からその広告の広告主を検出することで、広告主毎の複写枚数を各複写機毎に検出し、これを通信ネットワークを用いて管理者のコンピュータに送信するようにしたので、
複数の広告主による広告が同じ複写機において混合されて行われる場合においても、広告主毎の広告枚数を把握することが可能となり、複数の広告主の広告を同時的に行うことが可能となる。
【００１４】
また請求項９に記載のコピー用紙を用いた広告方法によれば、上記請求項６〜８の何れかに記載の構成による効果に加えて、広告を表示してある拡張型のコピー用紙をセットする複写機として、公民館等の公共施設に設置される複写機を対象としたので、
公民館等の公共施設には多数の団体等が登録されていることが多く、それらの団体が複写した資料は、それら団体の会員の元に配布されるので、多数人への確実な広告効果を期待できる。またそれらの会員は地域の住人であるのが一般的であるので、地域限定の広告効果を充分にあげることができる。
【００１５】
また請求項１０に記載のコピー用紙を用いた広告方法によれば、上記請求項６〜９の何れかに記載の構成による効果に加えて、複写操作を行う際に、通常の複写を行うか、広告を表示した拡張型のコピー用紙を用いた複写を行うかの選択操作を行わせるようにしたので、
選択操作を行うことで、広告付きの複写を望まない者には通常の複写も行える自由度の高い広告が可能となる。
【発明を実施するための最良の形態】
【００１６】
図１は本発明に係るコピー用紙の実施形態を示す図である。図２は本発明に係るコピー用紙を用いた広告方法の実施形態を説明する図である。
【００１７】
図１を参照して、本発明の実施形態に係るコピー用紙を説明する。
本実施形態に係るコピー用紙１０は、定型コピー用紙領域１１と拡張用紙領域１２とからなる。例えば定型コピー用紙領域１１をＡ４の寸法からなるコピー用紙の大きさとし、その定型コピー用紙の一辺である、短手辺に拡張用紙領域１２を付加することで、拡張型のコピー用紙１０としている。拡張用紙領域１２は、例えば定型コピー用紙領域１１がＡ４寸法の場合、図１に示す様に、そのＡ４寸法の用紙を長手方向に、例えば５ｃｍ程度の延長する寸法とすることができる。しかしながら延長する長さは５ｃｍである必要はない。他の寸法を延長するようにしてもよい。要するに、Ａ４という規格寸法の用紙の一辺に拡張用紙領域１２を付加して、拡張型のコピー用紙を用いることである。勿論、Ａ４以外の規格寸法、例えばＡ３、Ｂ４等の寸法を定型コピー用紙領域１１として、その一辺に領域を延長する形で拡張用紙領域１２を付加することで、拡張型のコピー用紙１０とすることができる。
そして本発明のコピー用紙では、拡張型のコピー用紙１０の前記定型コピー用紙領域１１は白紙状態に保持し、一方、前記拡張用紙領域１２には広告２０を表示したものとしている。
【００１８】
前記拡張型のコピー用紙１０の定型コピー用紙領域１１と拡張用紙領域１２との境界には、切り取りを容易にする切取線１３若しくはミシン目を施すことができる。これによって切り取り、分離が容易になる。
【００１９】
前記拡張用紙領域１２に表示される広告２０は、広告主の所望のものを予め印刷やその他の方法で表示させることができる。
拡張用紙領域１２の一部には、広告主が誰であるかを読み取るための広告主読取部２０ａを設けている。この広告主読取部２０ａは具体的な名称である他、コピー使用者には判らない記号のようなものであってもよい。このような広告主読取部２０ａを設けることでで、その広告２０を行っている広告主が誰であるかを、他の広告主から識別して知ることができる。
【００２０】
前記広告２０には、クーポン券２０ｂの表示や買い物カード等のカード２０ｃの表示を含むものとする。これらのクーポン券２０ｂやカード２０ｃは切り取り可能に表示することで、利用者の便に供することができる。勿論、クーポン券２０ｂやカード２０ｃは拡張用紙領域１２に表示されているので、実質的なコピー領域である定型コピー用紙領域１１に複写されたものに何らの影響を与えることなく、切り取って使用することができる。
【００２１】
また前記広告２０には、ＱＲコード２０ｄの表示を含むものとしている。ＱＲコード２０ｄを表示することで、より進んだ広告への道筋をつけることができる。
【００２２】
図２を参照して、本発明のコピー用紙を用いた広告方法を説明する。
予め拡張用紙領域１２に広告２０が表示された拡張型のコピー用紙１０を１乃至複数枚まとめて複写機３０にセットしておく。この場合、拡張型のコピー用紙１０は、その定型コピー用紙領域１１に対応するカセットより大きいので、フリーに調節することができるカセットに入れてセットすることができる。
複写を行おうとする者、即ち使用者が、複写対象書類等を複写機３０の原稿台に置き、拡張型のコピー用紙が入ったカセットを選び、複写スイッチをオンすることで、前記拡張型のコピー用紙１０の定型コピー用紙領域１１に所定の複写がなされると共に、拡張用紙領域１２には広告２０が表示された複写済み紙１０ａが使用者に提供される。
複写済み紙１０ａを受け取った使用者は、定型コピー用紙領域１１に所望の複写がなされているのを確認すると共に、同じ面の拡張用紙領域１２に表示された広告２０を確認することになる。
【００２３】
前記複写機３０は、例えば通常において複写を行う使用者に対して課金がなされる複写機とする。しかし前記広告２０が表示された拡張型のコピー用紙１０を用いた複写の場合は、複写料金を無料とし或いは軽減することがなされる。それら複写料金は広告をした広告主が前金或いは後金として複写機の使用者に支払うシステムとなる。
【００２４】
広告の表示されたコピー用紙を用いた複写がなされた枚数に応じて広告主が料金を支払う場合は、その複写枚数を検出する必要がある。この検出は、例えばカセットにセットした拡張型のコピー用紙１０の数と、カセットに残っている枚数を数えることで、総使用枚数を得ることができる。複写枚数の検出は複写機３０の保守管理人が定期的に行うことができる。得られた複写枚数はこのシステムの管理者に送られる。システムの管理者は各複写機３０での広告に供された複写枚数を合計し、広告主に対する広告料を演算する。
勿論、前記広告がなされた複写枚数は、各複写機３０に備えられたカウンターで検出することも可能である。
【００２５】
前記広告のなされた複写枚数の検出やその処理については、複写機３０を管理するコンピュータ４０や、保守管理者の通信端末５０を用いて、通信ネットワーク６０を介して管理者のホストコンピュータ７０に送り、一括管理するようにしてもよい。管理者のホストコンピュータ７０では、所定のプログラムを用いて、各複写機３０から集められた複写枚数データから、広告が表示された拡張型のコピー用紙１０による総使用枚数を合算して、広告主に対する広告料を演算する。
前記複写機３０を管理するコンピュータ４０を用いる場合は、複写機３０でカウントされた広告付き複写枚数をコンピュータ４０内に取り込むようにし、これを自動的または手動的に通信回線６０を介して管理者のホストコンピュータ７０に送る。
また前記保守管理者の通信端末５０を用いる場合は、保守管理者が各複写機３０の点検によって広告付きの複写枚数を得て、各複写機毎の複写枚数を、通信端末５０を用いて通信回線６０を経てホストコンピュータに送ることになる。
【００２６】
前記複写機３０を利用した広告が２以上の広告主によって行われる場合には、それぞれの広告主毎に広告を行った複写枚数を検出する必要がある。この場合には、拡張用紙領域１２に設けた広告主読取部２０ａから、それぞれの広告主を検出することで、広告主毎の複写枚数を各複写機３０毎に検出するようにする。即ち、拡張型のコピー用紙１０が複写機３０を通るときに、複写機３０に備えるようにした読み取り手段で広告主読取部２０ａから広告主を読み取るようにし、読み取った広告主毎に複写枚数を検出するようにする。このような広告主毎の複写枚数の演算は、コンピュータ４０内で行ってもよい。この場合は、複写機３０からコンピュータ４０に送られてきた広告主に関するデータと複写枚数データから、広告主毎の複写枚数をコンピュータ内で検算する。或いは、広告主に関するデータと複写枚数データをそのまま通信回線６０を介して管理者のホストコンピュータ７０に送り、ホストコンピュータ７０では、全複写機３０から送られてきた広告主に関するデータと複写枚数に関するデータとから、各広告主毎の総複写枚数を演算する。
【００２７】
前記拡張型のコピー用紙１０をセットする複写機３０としては、公民館等の公共施設に設置されている複写機を対象とすることができる。公民館等の公共施設の複写機を対象とすることで、地域の公民館等の公共施設に集う地域の団体等の多数の会員に確実に広告が渡り、ターゲット地域での広告効果が高くなる。
【００２８】
前記拡張型のコピー用紙１０を用いた複写による広告を行うに際しては、複写操作の際に通常の複写を行うか、広告を表示した拡張型のコピー用紙１０を用いた複写を行うかの選択操作を行わせるようにすることができる。この場合、例えば複写機３０の操作パネル上等において、使用者に通常の規格のコピー用紙を入れたカセットと拡張型のコピー用紙を入れたカセットとの何れかを選択させる選択操作を行わせればよい。
【図面の簡単な説明】
【００２９】
【図１】本発明に係るコピー用紙の実施形態を示す図である。
【図２】本発明に係るコピー用紙を用いた広告方法の実施形態を説明する図である。
【符号の説明】
【００３０】
１０    拡張型のコピー用紙
１０ａ  複写済み紙
１１    定形コピー用紙領域
１２    拡張用紙領域
１３    切取線
２０    広告
２０ａ  広告主読取部
２０ｂ  クーポン券
２０ｃ  カード
２０ｄ  ＱＲカード
３０    複写機
４０    コンピュータ
５０    通信端末
６０    通信ネットワーク
７０    ホストコンピュータ
【図１】
2009145511.tif 000003
【図２】
2009145511.tif 000004